(57)【要約】一次ヒートパイプおよびそれから延出する複数の二次ヒートパイプを備え、ヒートパイプの一つまたはそれ以上が熱源に接続している、特にその上で乾燥する物品を吊り下げるための、ヒーター。一次ヒートパイプはそこから同方向に延出している一組の水平ヒートパイプ（６ａ−６ｇ）を備えている垂直のヒートパイプとするか、その一次ヒートパイプが、そこから放射状に延出する水平ヒートパイプを備えていることができる。好ましくは、二次ヒートパイプは一次ヒートパイプの周りを回転可能なものである。
2004506866.tif 000002
【特許請求の範囲】
【請求項１】
それから延出する少なくとも一つの別のヒートパイプ（６）に接触するか流体連絡するかしている一次ヒートパイプ（４）を含むヒートパイプであって、ヒートパイプの少なくとも一つが少なくとも部分的に排気され、且つ動作流体を受ける内部空洞を備え、ヒートパイプの少なくとも一つが内部または外部の熱源（１０）から熱を受けるようになっていることを特徴とするヒータ。
【請求項２】
そこから実質的に水平に延出する複数の二次ヒートパイプ（６ａ−６ｇ）と接触するか流体連絡するかしている少なくとも一つの実質的に垂直なヒートパイプ（４）を備えていることを特徴とする請求項１に記載のヒータ。
【請求項３】
垂直のヒートパイプ（４）および水平のヒートパイプ（６）は共に少なくとも部分的に排気され、少量の動作流体を中に入れていることを特徴とする請求項２に記載のヒータ。
【請求項４】
水平ヒートパイプ（６）が同じ方向に間を隔てて延出し、物品を吊すための一連のレールを与えていることを特徴とする請求項２または３に記載のヒータ。
【請求項５】
一次ヒートパイプ（４０）がそこから異なる方向に延出する複数の二次ヒートパイプ（４４）を備えていることを特徴とする請求項１に記載のヒータ。
【請求項６】
一次ヒートパイプ（４０）が中心位置にあり、二次ヒートパイプ（４４）が一次ヒートパイプから異なる方向に外側に放射状になっていることを特徴とする請求項５に記載のヒータ。
【請求項７】
二次ヒートパイプ（４４）が一次ヒートパイプから実質的に垂直に延出していることを特徴とする請求項５または６に記載のヒータ。
【請求項８】
伝熱媒体が少なくとも一つのヒートパイプと接触している導管（１０）を通って伝えられることを特徴とする上記請求項のいずれか一つに記載のヒータ。
【請求項９】
最下部水平ヒートパイプ（６ａ）が外部熱源（１０）に接触して設置されていることを特徴とする請求項２によるときの請求項８に記載したヒータ。
【請求項１０】
電気コイルがヒートパイプの幾つかまたは全部の周りに巻かれていることを特徴とする上記請求項のいずれか一つに記載のヒータ。
【請求項１１】
内部熱源（１０４）が一つ以上のヒートパイプ（１００）の内部に設けられていることを特徴とする請求項１から８までのいずれか一つに記載のヒータ。
【請求項１２】
内部熱源が少なくとも一つのヒートパイプに設置された電気加熱素子であることを特徴とする請求項１１に記載のヒータ。
【請求項１３】
内部熱源が少なくとも一つのヒートパイプ（１００）の内部を通る伝熱管（１０４）であり、伝熱管は伝熱媒体を輸送するものであることを特徴とする請求項１１に記載のヒータ。
【請求項１４】
伝熱管（１０４）はヒートパイプ（１００）の内部で開いて伝熱媒体をヒートパイプに分配し、ヒートパイプは両端でシールされているが、伝熱媒体をヒートパイプから遠くへ輸送する出口ポート（１０８）を備えていることを特徴とする請求項１３に記載のヒータ。
【請求項１５】
伝熱管（１０４）が垂直ヒートパイプ（１００）の中を通っていることを特徴とする請求項１３または１４に記載のヒータ。
【請求項１６】
伝熱管が水平ヒートパイプの中を通っていることを特徴とする請求項１３または１４に記載のヒータ。
【請求項１７】
一次ヒートパイプがケーシング内部に囲まれていることを特徴とする上記請求項のいずれか一つに記載のヒータ。
【請求項１８】
一つ以上の回転可能ブラケット（４６）が一次ヒートパイプ（４０）の周りに設けられ、各ブラケットが二次ヒートパイプ（４４）を受けるための少なくとも一つの延長部（４６ｂ）を備えていることを特徴とする上記請求項のいずれか一つに記載のヒータ。
【請求項１９】
二次ヒートパイプ（４４）がブラケット（４６）に固定して取付けられていることを特徴とする請求項１８に記載のヒータ。
【請求項２０】
二次ヒートパイプ（４４）がブラケット（４６）から取り外し可能であることを特徴とする請求項１８に記載のヒータ。
【請求項２１】
ブラケット（４６）の延長部（４６ｂ）がヒンジで取付けられて、二次ヒートパイプ（４４）を、使用しないとき、一次ヒートパイプに対して折畳みできるようになっていることを特徴とする請求項１８、１９、または２０記載のヒータ。
【請求項２２】
一次および二次のヒートパイプは螺旋の形態をしており、一次ヒートパイプは熱源に接触するための垂直部分を形成し、二次ヒートパイプはそこから斜めに延出して螺旋またはコイルを形成していることを特徴とする請求項１に記載のヒータ。
【請求項２３】
熱源が外部温水管であることを特徴とする請求項２２に記載のヒータ。
【請求項２４】
熱源がヒートパイプの幾つかまたは全部に巻かれた外部電気コイルであることを特徴とする請求項２２に記載のヒータ。
【請求項２５】
内部熱源が少なくとも一つのヒートパイプ内部に設けられていることを特徴とする請求項２２に記載のヒータ。
【請求項２６】
熱源の上方または周りにバッファが設けられて湯沸かし活動を防止していることを特徴とする上記請求項のいずれか一つに記載のヒータ。
【請求項２７】
物品を吊り下げるようになっているヒータであって、熱源（１０）を有する垂直ヒートパイプ（４）および前記垂直ヒートパイプから実質的に水平に延出する、間を隔てて設けられた複数のヒートパイプ（６ａ−６ｇ）を備え、水平ヒートパイプは水平から＋０．１ないし５°の傾斜を有していることを特徴とするヒータ。
【請求項２８】
垂直ヒートパイプが一表面に取付け可能であり、水平ヒートパイプが垂直ヒートパイプの周りを回転可能であり、前記ヒータがさらに、水平ヒートパイプを前記表面に対して一時的に保持するための保持手段を備えていることを特徴とする請求項２７に記載のヒータ。
【請求項２９】
保持手段は、垂直ヒートパイプに平行であるが間を隔てている部材に設けられ、前記部材は垂直ヒートパイプから水平ヒートパイプの長さに実質的に等しい距離のところにあることを特徴とする請求項２８に記載のヒータ。
【請求項３０】
物品を吊り下げるようになっているヒータであって、熱源（５０）を有する中心垂直ヒートパイプ（４０）および前記垂直ヒートパイプから外方に放射状に延出する複数の二次ヒートパイプ（４４）を備えていることを特徴とするヒータ。
【発明の詳細な説明】
【０００１】
【発明の属する技術分野】
本発明は、改良型ヒータに関し、他のヒータを排除するものではないが、特に、物品を乾燥するための加熱レールの形態を成すヒータに関する。
【０００２】
【従来の技術】
通常、ビルディングは、ビルディング中に間隔を置いて設けられたラジエータを用いて暖められる。主温水管がボイラにより加熱され、加熱された水が管を通して個々のラジエータに分配される。その水はラジエータに設けられた補助管に流入し、これによりラジエータが加熱されて熱を周囲に放射、対流、および伝導により放出する。
【０００３】
このようなラジエータは、物品をラジエータの上方または近くに置くことにより布や同様の物品を乾燥するのにも使用できる。水管を回旋状にして水平バーを形成し、その上に乾燥または風に当てようとする物品を載せることができるタオル・レールも形成されている。しかし、これらヒータを使用するエネルギの使用方法は全体として無駄が多く、水を加熱してその温度を維持し、その水をビルディングの周りに、次いで各ラジエータに入っている回旋状の管に沿って汲み上げるのには大量のエネルギを消費する必要がある。管およびラジエータには圧力も加わり、稀ではあるが、管の破裂を生ずる可能性がある。
【０００４】
その他に、ラジエータはかさばり、且つ高価である。ラジエータはまた一旦特定の場所に据え付けると、特定のビルディングでラジエータを設置しようとする領域にあるラジエータに水を分配するための補助管網を主水管に設けるため、移動させるのが困難である。したがって、ラジエータの位置を変えるにはシステムの管網に実質的変更を加える必要がある。
【０００５】
【発明が解決しようとする課題】
本発明の目的は、上述の欠点を克服することを目指す改良型ヒータを提供することである。
【０００６】
【課題を解決するための手段】
したがって、本発明は、一次ヒートパイプを備え、一次ヒートパイプはそれから延出する少なくとも一つの別のヒートパイプと接触または流体連絡し、ヒートパイプの少なくとも一つは少なくとも部分的に排気されており、かつ動作流体を受ける内部空洞を備え、ヒートパイプの少なくとも一つは内部または外部の熱源から熱を受けるようになっている、ヒータを提供する。
【０００７】
【発明の実施の形態】
好適には、ヒータは少なくとも一つの垂直ヒートパイプを備え、このヒートパイプはそこから実質的に水平に延出する複数の二次ヒートパイプと接触または流体連絡している。好適には、一次および二次のヒートパイプは共に、少なくとも部分的に排気され、少量の動作流体を入れている。水平ヒートパイプは各々同じ方向に延出し、タオルのような物品を吊す一連のレールを設けるよう間隔を置いて設置されている。好適には、最下部レールは熱源に接触して設置されている。
【０００８】
代わりに、一次ヒートパイプは、そこからいろいろの方向に延出する多数の二次ヒートパイプを備え、たとえば中心の一次ヒートパイプから外側に星型放射を形成することができる。好適には、使用時、二次ヒートパイプは一次ヒートパイプから実質的に垂直に延出している。好適には、一次ヒートパイプはケーシングの中に囲まれている。好適には、一つ以上のブラケットが一次ヒートパイプの周りに設けられ、各ブラケットには二次ヒートパイプを受け入れる少なくとも一つの延長部がある。ブラケットは一次ヒートパイプの周りに回転可能でもよい。二次ヒートパイプをブラケットに固定してもよいし、またはそこから取り外し可能としてもよい。ブラケットの延長部をヒンジで支持して、二次ヒートパイプを、使用しないとき、ケーシングに対して折り畳むことができるようにしてもよい。
【０００９】
さらに好適には、ブラケットおよび延長部を、その中に嵌まる部品、すなわち垂直または水平のヒートパイプそれぞれと実質的に同じ大きさになる寸法にする。ブラケットおよび／または延長部にスリットまたは切り込みを設けてその部分をそれぞれの構成部品に嵌めるかそれぞれの構成部品を受け入れるようにしてもよい。アレンスクリューおよびキーのような適切な締め付け手段を前記スリットまたは切り込みを横断して使用し、構成部品をブラケットおよび延長部の中に締め付けてもよい。好適には、ブラケットにはその長さ方向に長手方向スリットが設ける。延長部には好適に少なくとも一つの、より好適には二つの、スリットがブラケットのスリットに対し直角に設けられる。
【００１０】
好適には、ブラケットは鋳造成形により形成されている。
代わりに、一次および二次ヒートパイプを螺旋形にしてもよく、この場合一次ヒートパイプは熱源に接触するための垂直部分を形成し、二次ヒートパイプはそこから斜めに延出する上方部分を形成して螺旋またはコイルを形成する。
【００１１】
熱源は、たとえば、通常の温水管のような導管により分配される温水としてよい。水を、たとえば、ガスまたは電気により加熱することができる。水平ヒートパイプが同じ方向に延出している実施形態では、最下部ヒートパイプおよび垂直ヒートパイプの基底は好適には温水パイプと接触して設置される。好適には、温水パイプと接触しているヒートパイプの下縁は凹輪郭を成し、温水パイプの凸輪郭と接触している。代わりに、ヒートパイプおよび温水管をそれぞれの管と接触できるように平らな縁を有するブラケットにより囲んでもよい。好適には、ブラケットは共に接着される。ブラケットおよび管をアルミニウムまたは鋼のような適切な良導性材料から作ることは理解されるべきである。
【００１２】
代わりに、熱源を電気としてもよく、その場合、ヒートパイプは管の幾つかまたは全部の周りに巻かれた電気コイルにより、または一つ以上の管に設置された加熱素子により、加熱される。
【００１３】
ヒータにヒータを加熱する別の手段を与える組み込み熱源を設け、それによりヒータを組み込み熱源によるかまたはその熱を外部熱源から取ることにより加熱できるようにしてよい。組み込み熱源を設ける場合、好適にはその熱源はヒートパイプの少なくとも一つに設置された電気加熱素子からなる。好適には、それは垂直ヒートパイプに設置される。組み込み熱源を設けると、ヒータは、ヒートパイプの一つを外部熱源から熱を受けるようにすることをあてにしなくてもよくなる。
【００１４】
代わりに、内部熱源を一次ヒートパイプの内部まで延びる伝熱管により得ることができ、伝熱管は水のような伝熱媒体を輸送する。好適には、伝熱管は端が開いていて伝熱媒体を一次ヒートパイプに分配し、一次ヒートパイプは両端でシールされているが、伝熱媒体をヒータから遠くに輸送する出口ポートを備えている。この実施形態では、二次ヒートパイプだけが部分的に排気できる自蔵ユニット（ｓｅｌｆ−ｃｏｎｔａｉｎｅｄ ｕｎｉｔ）である。この場合も、任意の数の二次ヒートパイプを一次ヒートパイプから延出させてもよく、二次ヒートパイプはそれに固定してまたは回転可能に取付けられる。
【００１５】
代わりに、内部熱源を一つ以上の水平ヒートパイプの中を通すことができる。好適には、温水管は、最下部ヒートパイプの内部を通り、ヒートパイプは、部分的に排気されているシールされた自蔵ユニットである。
【００１６】
本発明のヒータは、伝熱の方向を変える備えを有している。好適には、使用時、水平ヒートパイプは垂直ヒートパイプからわずか上方に、たとえば水平から＋０．１ないし５°傾いている。
【００１７】
排気されたヒートパイプはすべてその自由端でシールされ、たとえば、一つ以上のヒートパイプに設けられた弁により部分的に排気できる自蔵ユニットとなっていることを認識すべきである。
【００１８】
本発明のヒータは通常のラジエータとするためのカバーを備えることができる。好適には、カバーは着脱可能である。
【００１９】
他に、ヒータは湯沸かし活動（ｋｅｔｔｌｉｎｇ ａｃｔｉｖｉｔｙ）を追い払うバッファを備えることができる。好適には、バッファは熱源の上または周りに設けられた、ステンレス網のような、金網の形態をしている。
【００２０】
本発明の好適な実施形態では、その周りに一連の実質的に水平のヒートパイプを、回転可能に、間を隔てて取付けた垂直一次ヒートパイプを有するヒータが提供されている。垂直ヒートパイプを、たとえば、壁に取付けられた適切な壁ブラケットを設けることにより、壁または他の表面に固定して取付けることができ、水平ヒートパイプをすべて、壁に向かって梯子構成を成して横たわる向きにすることができる。好適には、さらに他の安定用バーを垂直ヒートパイプと平行に設けて水平ヒートパイプの自由端を受ける。クリップのような保持手段を安定用バーの適切な場所に設けて水平ヒートパイプを梯子構成で受け、保持することもできる。水平ヒートパイプを、必要に応じて、その保持器から解放し、壁から外方に回転させることもできる。外部および／または内部熱源を垂直ヒートパイプおよび／または最下部水平ヒートパイプと接触してまたは流体連絡して設けることができる。
【００２１】
本発明をさらに良く理解するため、および本発明を実効あるようにする方法をさらに明らかに示すのに、例示だけを目的とする付図を次に参照する。
【００２２】
付図の図１を参照すると、本発明の一実施形態によるヒータ２が例示されている。ヒータは、そこから実質的に垂直に延出する多数の水平ヒートパイプ６ａ、６ｂ、６ｃ、６ｄ、６ｅ、６ｆ、および６ｇと流体連絡している垂直ヒートパイプ４を備えている。水平ヒートパイプは垂直パイプから離間して非常にわずか上方に、たとえば水平面から約＋２°の勾配で傾いている。垂直および水平のパイプは共に部分的に排気され、中に水のような動作流体が少量入っており、その自由端はすべて封止されており、自蔵ユニットを構成している。一つ以上のパイプに弁８が設けられてその排気を可能にし、動作流体の導入を可能にしている。ヒートパイプの内壁を動作流体の存在による腐食の影響に対して保護すべきである。
【００２３】
垂直パイプ４の基底および最下部水平パイプ６ａの下側は、たとえば、ガスボイラにより加熱されている水のような熱伝導媒体を輸送する管１０の形態で、熱源と接触して固定されている。管は熱伝導材料からなる通常のパイプである。付図の図２は、最下部水平パイプを熱源に取付ける一つの機構を示しているが、他の形式の固定を本発明のヒータに使用できることを認識すべきである。温水管１０および水平ヒートパイプ６ａは共に、平らな縁１４を有する伝熱ブラケット１２により部分的に囲まれている。ブラケットのそれぞれの平らな縁は熱を温水管からヒートパイプに効率よく移す際の補助をなす接着剤を使用して共にシールされている。
【００２４】
このようにして、温水管は最下部水平パイプの長さ全体の他、垂直ヒートパイプ４の基底をも加熱することができ、それによりヒータ２の中の動作流体を加熱し、この動作流体はヒートパイプの内部にある真空のためその正常の沸点以下で蒸発する。ヒータ内部の圧力が低いことにより流体はその中を急速に移動し、それにつれて凝縮してその凝縮の潜熱を解放し、それにより熱を管の壁に、したがって周囲大気に移す。流体は再循環してヒータが設けられている区域に対する連続加熱源となる。ヒータの水平腕６ａ−６ｇは、温水の連続流をそれを通して汲み上げる必要のある回旋状管を設ける必要なしに、タオルのような物品を乾燥および風通するのに特に適するヒータとなる。
【００２５】
ヒータの内部空洞に入っている流体の実際の体積はそのユニットの特定の寸法によって決まる。同様に、ヒータに存在する真空の量はその効率よい動作にとって重要である。その量は管の大きさ、必要な温度、および動作流体の体積によって決まり、熱力学の法則により得られる。
【００２６】
本発明によるヒータは、熱を水平に移すことができる他、部分的に排気された管を通じて垂直方向に移すこともできる。最下部の管は温水管により加熱されて内部にある動作流体を蒸発させる。この流体はわずかな勾配により管に沿って戻り、垂直管を上に上昇している熱により再蒸発する。このプロセスによりヒータを非常に急速に且つ効率よく加熱することができる。
【００２７】
ヒータには電気のような代わりの熱源を設けることができることを認識すべきである。この実施形態では、エネルギは電力幹線から供給される。これによりヒータを孤立ユニットとして提供することができ、それによりヒータを幹線電源に接続できる場合にはどのような場所にでも設置することができる。代わりに、最下部水平ヒートパイプに内部熱源を設けることもできる。たとえば、伝熱管を最下部ヒートパイプの中を通すことができる。ヒートパイプは自蔵式で、部分的に排気されており、動作流体を備えている。シールされたヒートパイプは、その中を通ってガスまたは水のような伝熱媒体を伝えてヒートパイプの加熱を行なう伝熱管とは完全に別である。
【００２８】
たとえば金網または細目金網の形態のバッファを電気加熱素子のような熱源の上または周りに設置して蒸気を通過させるが、システム内の分子を分散し破壊してヒータ内部で生ずる望ましくない湯沸かし活動を防止することができる。細目金網または金網の大きさはヒータユニットの実際の大きさおよび加熱素子のワット数によって決まる。
【００２９】
ユニットをカバーで囲んでラジエータとすることもできる。このカバーを着脱可能にして、必要なときヒータをタオルレールとして使用できる。
【００３０】
ヒータは従来技術のものに比較して多数の長所を有している。第１に、ヒータはその周りを水が流れるための内部管路網を必要としない。これにより、通常のラジエータまたはタオルレールの回旋状管の周りに水を汲み上げる必要がもはや無いから、温水をビルディングの周りに分配する主加熱システムのポンプにかかる圧力が減少する。ヒータをどのような適切な場所ででも温水管または他の熱源に固定することができ、したがってヒータの設置の柔軟性が大きく増大し、実際、孤立ユニットとして設けることができる。加えて、ヒータは通常、ヒートパイプ内の流体にもよるが、約１００℃まで負圧で動作する。したがって、ユニットは高温においても低圧に耐えるだけでよい。対照的に、従来技術のラジエータは常に、ラジエータ内の媒体の温度が上昇するにつれて増大する正圧を有している。このため本発明のヒータが使用に安全なばかりでなく、部分真空によりユニットの内部の圧力が小さくなっているためヒータを軽いしかも薄い材料から作ることができる。少ない体積の水を加熱してビルディングの周りに輸送するだけでよく、それによりはるかに効率よい加熱システムが得られる。ヒータはまたビルディング内の現存する管路網を追い払うこともできる。
【００３１】
付図の図３および図４は、本発明に従うヒータの他の実施形態を示す。ヒータ２０は、そこから延出する多数の水平のシール済みヒートパイプ４４を有する、円筒形ケーシング４２により囲まれた垂直のシールされたヒートパイプ４０を備えている。ヒートパイプ４０の基底は、熱をヒートパイプに移し、それにより水平ヒートパイプ４４を加熱する熱源５０に接触している。水平ヒートパイプ４４は、ケーシングに間隔を置いて設けられた一つ以上のブラケット４６ａ、４６ｂによりケーシング４２に取付けられている。ブラケットはフランジ４８が存在しているため垂直方向に固定されているが、ケーシング４２に存在するスロット５２のため中心ヒートパイプ４０の周りに回転することができる（図４の矢印Ｂを参照）。ヒートパイプ４４を一時的に、ブラケットの分枝４６ｂにより形成されたソケットに差し込んでもよいし、伝熱ペーストによりそれに着脱不能に溶接してもよい。他に、ブラケットの分枝４６ｂをブラケットの主体４６ａにヒンジ５２で取付けて水平パイプをケーシング４２に対して（図４に示す矢印Ａの方向に）折り畳むようにすることもできる。
【００３２】
このようにして、ヒータを、そこから外方に延出して衣服、タオル、および類似の品を支持するレールとして働く水平管４２を有する孤立ヒータとして設けることができる。レールを垂直管の周りに回転させたり、使用しないときケーシングに対して折り畳んで保管しやすくすることもできる。各ブラケットにそこから延出する任意の数のブラケットを設けて水平ヒートパイプを受け、それによりケーシングの周りに外方に延出するレールを生ずることができる。他に、多数のブラケットを間を隔てて設けて垂直管の上にレールの層を設けることができる。
【００３３】
ブラケットをその中に嵌まる部品、すなわち垂直または水平のヒートパイプと実質的に同じ大きさになる寸法にすることができる。水平ヒートパイプを受けるブラケットおよびそのその延長部にそれを貫くスリットまたは切り込みを設けてその部分をそれぞれの構成部分の上に嵌めるか構成部分を受けるようにすることができる。アレンスクリューおよびキーのような適切な締め付け手段を前記スリットまたは切り込みを横断して使用し、構成要素をブラケット内部に締め付けることができる。一実施形態では、垂直ヒートパイプの上に嵌まるブラケットにはその長さ方向の長手方向スリットを設け、水平ヒートパイプを受ける延長部にブラケットのスリット（図示せず）に直角な二つのスリットを設けている。ブラケットを鋳造成形で形成してよい。
【００３４】
代わりに、ヒータに内部熱源を、孤立ユニットとしてまたは通常の加熱システムのような部分として、設けることができる。付図の図５は、本発明のこのような実施形態の一つによるヒータを示しており、このヒータでは垂直管１００に水平ヒートパイプ１０２を加熱するための内部熱源１０４が設けられている。この実施形態では、ヒータのレールを形成する水平ヒートパイプだけが部分的に排気され、少量の動作流体を備えている。たとえば直径が２８ｍｍの垂直管１００は排気されておらず、一端がキャップで覆われ、他端が開いている。たとえば直径が１５ｍｍの、より小さい管１０４が管の中心の上に設置され、円盤１０６が外側管の基底の近くで内側管の周りに設けられ、内側管および外側管の側面にシールされ、それにより外側管の開放端を閉じている。外側管の内側にある内側管の端は開き、他端は標準の温水管（図示せず）と流体連絡している。外側管１００にはその基底近くに出口ポート１０８が設けられている。
【００３５】
このようにして、温水を内側管１０４の上に分配することができる。管の最上部で、水は外側管内に流出し、それにより外側管を加熱する。ブラケット１１０により取付けられ垂直管から水平にまたは斜めに延出する自蔵の、部分排気されたヒートパイプ１０２は次に垂直管により加熱される。水は次に出口１０８により垂直管を出、たとえば通常のボイラシステムにより再加熱される。
【００３６】
図３および図４に関連して先に記したとおり、ヒートパイプを垂直管に固定して取付けてもよいし、またはそれに回転可能に取付けてもよいことを認識すべきである。任意の数のヒートパイプを中心の垂直管から延出させて物品を吊すレールを形成することができる。
【００３７】
本発明のさらに他の実施形態では、付図の図６および図７に示したように、梯子型タオルレールと揺動タオルレールとの間で交換可能な加熱タオルレールが与えられる。垂直ヒートパイプ２００は壁Ｗに取付けられた壁ブラケット（図示せず）に固定して取付けられている。間を隔てて設けられた保持クリップ２１０を有する平行金属固定バー２０８が垂直ヒートパイプから所定距離のところに設けられている。水平ヒートパイプ２０２はブラケット２０６により垂直ヒートパイプに対して回転可能に取付けられている。水平ヒートパイプを固定バー２０８にある保持装置２１０に固定して壁に対して横たえ、それにより梯子型タオルレールとして動作させることができる（図６を参照）。代わりに、一つ以上の水平ヒートパイプを（図７に示したように）そのそれぞれの保持器から向こうに引いて外側に回転することができる。
【図面の簡単な説明】
【図１】本発明の一局面によるヒータの正面立面図である。
【図２】図１の線Ａ−Ａで切った断面図である。
【図３】本発明の他の実施形態によるヒータの斜視図である。
【図４】図３に示したヒータの一部の長手方向断面図である。
【図５】本発明のさらに他の実施形態によるヒータの長手方向断面図である。
【図６】本発明のさらに他の実施形態によるヒータの正面立面図であり、一つの構成により示してある。
【図７】代わりの構成により示した図６に示したヒータの正面立面図である。
【符号の説明】
４　垂直ヒートパイプ
６　水平ヒートパイプ
１０　外部熱源
４０　一次ヒートパイプ
４４　二次ヒートパイプ
４６　ブラケット
１００　ヒートパイプ
１０４　伝熱管
１０８　出口ポート
【図１】
2004506866.tif 000003
【図２】
2004506866.tif 000004
【図３】
2004506866.tif 000005
【図４】
2004506866.tif 000006
【図５】
2004506866.tif 000007
【図６】
2004506866.tif 000008
【図７】
2004506866.tif 000009
【国際公開パンフレット】
2004506866.tif 000010
2004506866.tif 000011
2004506866.tif 000012
2004506866.tif 000013
2004506866.tif 000014
2004506866.tif 000015
2004506866.tif 000016
2004506866.tif 000017
2004506866.tif 000018
2004506866.tif 000019
2004506866.tif 000020
2004506866.tif 000021
2004506866.tif 000022
2004506866.tif 000023
2004506866.tif 000024
2004506866.tif 000025
2004506866.tif 000026
2004506866.tif 000027
2004506866.tif 000028
2004506866.tif 000029
2004506866.tif 000030
2004506866.tif 000031
2004506866.tif 000032
2004506866.tif 000033
【手続補正書】
【提出日】平成14年6月10日(2002.6.10)
【手続補正１】
【補正対象書類名】明細書
【補正対象項目名】特許請求の範囲
【補正方法】変更
【補正の内容】
【特許請求の範囲】
【請求項１】
それから実質的に水平方向に突出できる少なくとも一つの別のヒートパイプ（６）に接触するか流体連絡するかしている実質的に垂直なヒートパイプ（４）、を備え、ヒートパイプの少なくとも一方が少なくとも部分的に排気され且つ動作流体を受ける内部空洞を備え、ヒートパイプの少なくとも一方が内部または外部の熱源（１０）から熱を受けるようになっていることを特徴とするヒータ。
【請求項２】
少なくとも一つの実質的に垂直なヒートパイプ（４）がそこから実質的に水平に突出する複数の二次ヒートパイプ（６ａ−６ｇ）と接触するか流体連絡するかしていることを特徴とする請求項１に記載のヒータ。
【請求項３】
垂直（４）および水平（６）のヒートパイプは共に少なくとも部分的に排気され、少量の動作流体を中に入れていることを特徴とする請求項１または２に記載のヒータ。
【請求項４】
複数の水平ヒートパイプ（６）が同じ方向に間を隔てて突出し、物品を吊すための一連のレールを与えていることを特徴とする請求項２または３に記載のヒータ。
【請求項５】
垂直ヒートパイプ（４０）がそこから色々な方向に突出する複数の二次ヒートパイプ（４４）を備えていることを特徴とする請求項１に記載のヒータ。
【請求項６】
垂直ヒートパイプ（４０）が中心位置にあり、二次ヒートパイプ（４４）が一次ヒートパイプからいろいろな方向に外側に放射状にあることを特徴とする請求項５に記載のヒータ。
【請求項７】
伝熱媒体が少なくとも一つのヒートパイプと接触している導管（１０）により伝えられることを特徴とする上記請求項のいずれか一つに記載のヒータ。
【請求項８】
最下部水平ヒートパイプ（６ａ）が外部熱源（１０）に接触して設置されていることを特徴とする請求項２によるときの請求項７に記載したヒータ。
【請求項９】
電気コイルがヒートパイプの幾つかまたは全部の周りに巻かれていることを特徴とする上記請求項のいずれか一つに記載のヒータ。
【請求項１０】
内部熱源（１０４）が一つ以上のヒートパイプ（１００）の内部に設けられていることを特徴とする請求項１から６までのいずれか一つに記載のヒータ。
【請求項１１】
内部熱源が少なくとも一つのヒートパイプに設置された電気加熱素子であることを特徴とする請求項１０に記載のヒータ。
【請求項１２】
内部熱源が少なくとも一つのヒートパイプ（１００）の内部を通る伝熱管（１０４）であり、伝熱管は伝熱媒体を輸送するものであることを特徴とする請求項１０に記載のヒータ。
【請求項１３】
伝熱管（１０４）はヒートパイプ（１００）の内部で端が開いていて伝熱媒体をヒートパイプに分配し、ヒートパイプは両端でシールされているが、伝熱媒体をヒートパイプから遠くへ輸送する出口ポート（１０８）を備えていることを特徴とする請求項１２に記載のヒータ。
【請求項１４】
伝熱管（１０４）が垂直ヒートパイプ（１００）の中を通っていることを特徴とする請求項１２または１３に記載のヒータ。
【請求項１５】
伝熱管が水平ヒートパイプの中を通っていることを特徴とする請求項１２または１３に記載のヒータ。
【請求項１６】
垂直ヒートパイプがケーシング内部に囲まれていることを特徴とする上記請求項のいずれか一つに記載のヒータ。
【請求項１７】
一つ以上の回転可能腕金（４６）が垂直ヒートパイプ（４０）の周りに設けられ、各腕金が二次ヒートパイプ（４４）を受けるための少なくとも一つの延長部（４６ｂ）を備えていることを特徴とする上記請求項のいずれか一つに記載のヒータ。
【請求項１８】
二次ヒートパイプ（４４）が腕金（４６）に固定して取付けられていることを特徴とする請求項１７に記載のヒータ。
【請求項１９】
二次ヒートパイプ（４４）が腕金（４６）から取り外し可能であることを特徴とする請求項１７に記載のヒータ。
【請求項２０】
腕金（４６）の延長部（４６ｂ）が蝶番で取付けられて、二次ヒートパイプ（４４）を、使用しないとき、一次ヒートパイプに対して折畳みできるようになっていることを特徴とする請求項１７、１８、または１９記載のヒータ。
【請求項２１】
熱源の上方または周りにバッファが設けられて湯沸かし活動を防止していることを特徴とする上記請求項のいずれか一つに記載のヒータ。
【請求項２２】
物品を吊り下げるようになっているヒータであって、熱源（１０）を有する垂直ヒートパイプ（４）および前記垂直ヒートパイプから実質的に水平に突出する複数の間を隔てて設けられたヒートパイプ（６ａ−６ｇ）を備え、水平ヒートパイプは水平から＋０．１ないし５°の傾斜を有し、且つ内部空洞で少なくとも部分的に排気されて動作流体を受けていることを特徴とするヒータ。
【請求項２３】
垂直ヒートパイプが一表面に取付け可能であり、水平ヒートパイプが垂直ヒートパイプの周りを回転可能であり、前記ヒータがさらに、水平ヒートパイプを前記表面に対して一次的に保持するための保持手段を備えていることを特徴とする請求項２２に記載のヒータ。
【請求項２４】
保持手段は、垂直ヒートパイプに平行であるが間を隔てている部材に設けられ、前記部材は垂直ヒートパイプから水平ヒートパイプの長さに実質的に等しい距離のところにあることを特徴とする請求項２３に記載のヒータ。
【請求項２５】
物品を吊り下げるようになっているヒータであって、熱源（５０）を有する中心垂直ヒートパイプ（４０）および前記垂直ヒートパイプから外方に放射状に突出する複数の二次ヒートパイプ（４４）を備え、前記二次ヒートパイプは少なくとも部分的に排気され、動作流体を受ける内部空洞を備えていることを特徴とするヒータ。
【手続補正２】
【補正対象書類名】明細書
【補正対象項目名】０００６
【補正方法】変更
【補正の内容】
【０００６】
したがって、本発明は、そこから実質的に水平の方向に突出できる少なくとも一つの別のヒートパイプと接触しているか流体連絡している実質的に垂直なヒートパイプを備え、ヒートパイプの少なくとも一方が少なくとも部分的に排気されて動作流体を受ける内部空洞を備え、ヒートパイプの少なくとも一方が内部または外部の熱源から熱を受けるようになっているヒータを提供する。


【手続補正３】
【補正対象書類名】明細書
【補正対象項目名】００１０
【補正方法】変更
【補正の内容】
【００１０】
好適には、腕金は鋳造成形により形成されている。




【国際調査報告】
2004506866.tif 000034
2004506866.tif 000035
2004506866.tif 000036